【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
前記払出制御用マイクロコンピュータによって制御され、貸出要求に応じた遊技媒体の払出を行う貸出遊技媒体払出機構部と、
遊技機への電力供給が停止していても前記遊技制御用変動データ記憶手段および前記払出制御用変動データ記憶手段の記憶内容を所定期間保持させることが可能な記憶内容保持手段と、
前記遊技制御用マイクロコンピュータが搭載された遊技制御基板および前記払出制御用マイクロコンピュータが搭載された払出制御基板で用いられる電圧を作成する電源基板と、
遊技機で使用される所定の電源の状態を監視して電源断の発生を検出したときに検出信号を出力する電源監視手段と、
操作に応じて操作信号を出力する初期化操作手段とを含み、
前記遊技制御用マイクロコンピュータは、前記検出信号の入力に応じて、制御状態を前記遊技制御用変動データ記憶手段に保存させるための処理である遊技制御用電力供給停止時処理を行う遊技制御用電力供給停止時処理手段を含み、
前記払出制御用変動データ記憶手段に記憶される前記変動データには、貸出要求にもとづいた遊技媒体の払出数のうち払出しが完了していない未払出数を特定可能なデータが含まれており、
前記払出制御用マイクロコンピュータは、
前記検出信号の入力に応じて、前記未払出数を特定可能なデータを含む制御状態を前記払出制御用変動データ記憶手段に保存させるための処理である払出制御用電力供給停止時処理を行う払出制御用電力供給停止時処理手段と、
前記初期化操作手段からの操作信号が入力されているか否かを確認する操作信号確認処理を行う操作信号確認処理手段とを含み、
前記操作信号確認処理手段により前記初期化操作手段からの前記操作信号が入力されていることが確認されなかったことを条件に、前記未払出数を特定可能なデータが前記払出制御用変動データ記憶手段に保存されているときに該未払出数を特定可能なデータにもとづいて遊技媒体の払出制御を再開し、
前記操作信号確認処理手段により前記初期化操作手段からの前記操作信号が入力されていることが確認されたときには、前記払出制御用変動データ記憶手段に記憶内容が保存されていても、該払出制御用変動データ記憶手段の記憶内容を初期化する初期化処理を行い、
前記電源監視手段は前記電源基板に設けられ、単一の前記電源監視手段から前記遊技制御用マイクロコンピュータおよび前記払出制御用マイクロコンピュータのそれぞれに検出信号が分岐して出力される
ことを特徴とする遊技機。
【請求項２】
払出制御用マイクロコンピュータが所定のデータを取得するための入力ポートが設けられ、
初期化操作手段からの操作信号は前記入力ポートに入力される
請求項１記載の遊技機。
【請求項３】
遊技媒体を検出するための遊技媒体検出手段を備え、
払出制御用マイクロコンピュータは、電源監視手段が検出信号を出力したときに、前記遊技媒体検出手段からの検出出力の入力処理を所定期間実行した後、払出制御用電力供給停止時処理を行う
請求項１または請求項２記載の遊技機。
【請求項４】
払出制御用マイクロコンピュータは、
出力ポートを介して貸出遊技媒体払出機構部に駆動信号を出力し、
電源監視手段が検出信号を出力したときに、出力ポートをオフ状態にした後、遊技媒体検出手段からの検出出力の入力処理を実行する
請求項３記載の遊技機。
【請求項５】
電源監視手段が検出信号を出力した後の、払出制御用マイクロコンピュータによる遊技媒体検出手段からの検出出力の入力処理の実行中に、前記払出制御用マイクロコンピュータおよび前記遊技媒体検出手段を駆動可能な電源を供給可能な補助駆動電源供給手段を備えた
請求項３または請求項４記載の遊技機。
【請求項６】
払出制御用マイクロコンピュータは、初期化操作手段からの操作信号が入力されているか否かを、遊技媒体検出手段からの検出出力を判定する遊技媒体検出判定期間よりも短い要求検出判定期間で判定する
請求項３から請求項５のうちのいずれかに記載の遊技機。
【請求項７】
払出制御用マイクロコンピュータによって制御され、入賞に応じて遊技媒体の払出を行う賞遊技媒体払出機構部を備え、
払出制御用変動データ記憶手段に記憶される変動データは、入賞に応じて払い出される遊技媒体の払出数のうち前記賞遊技媒体払出機構部による払出しが完了していない未払出数を特定可能なデータを含む
請求項１から請求項６のうちのいずれかに記載の遊技機。
【請求項８】
遊技媒体検出手段として、賞遊技媒体払出機構部から払い出された遊技媒体を検出する賞遊技媒体検出手段と、貸出遊技媒体払出機構部から払い出された遊技媒体を検出する貸出遊技媒体検出手段とを別個に設けた
請求項７記載の遊技機。
【請求項９】
払出制御用マイクロコンピュータは、
払出制御用電力供給停止時処理手段により払出制御用電力供給停止時処理が実行されていることを示す払出制御用情報を前記払出制御用変動データ記憶手段に保存するとともに、前記払出制御用変動データ記憶手段の記憶内容が正常か否かの判定に用いる払出制御用チェックデータを作成して前記払出制御用変動データ記憶手段に保存し、
操作信号確認処理手段により初期化操作手段からの操作信号が入力されていることが確認されなかったことを条件に、前記払出制御用変動データ記憶手段に前記払出制御用情報が保存されているか否かを確認し、前記払出制御用変動データ記憶手段に前記払出制御用情報が保存されていることを確認したことを条件に、前記払出制御用変動データ記憶手段における前記払出制御用チェックデータにもとづいて記憶内容が正常か否かの判定を行い、正常と判定したことを条件に、前記未払出数を特定可能なデータが前記払出制御用変動データ記憶手段に保存されているときに該未払出数を特定可能なデータにもとづいて遊技媒体の払出制御を再開する
請求項１から請求項８のうちのいずれかに記載の遊技機。
【請求項１０】
遊技制御用マイクロコンピュータは、
遊技制御用電力供給停止時処理手段により遊技制御用電力供給停止時処理が実行されていることを示す遊技制御用情報を前記遊技制御用変動データ記憶手段に保存するとともに、前記遊技制御用変動データ記憶手段の記憶内容が正常か否かの判定に用いる遊技制御用チェックデータを作成して前記遊技制御用変動データ記憶手段に保存し、
初期化操作手段からの操作信号が入力されているか否かを確認する遊技制御側操作信号確認処理を行う遊技制御側操作信号確認処理手段を含み、
前記遊技制御側操作信号確認処理手段により前記初期化操作手段からの操作信号が入力されていることが確認されなかったことを条件に、前記遊技制御用変動データ記憶手段に前記遊技制御用情報が保存されているか否かを確認し、前記遊技制御用変動データ記憶手段に前記遊技制御用情報が保存されていることを確認したことを条件に、前記遊技制御用変動データ記憶手段における前記遊技制御用チェックデータにもとづいて記憶内容が正常か否かの判定を行い、正常と判定したときに制御状態を前記遊技制御用電力供給停止時処理を開始したときの状態に復帰させる
請求項１から請求項９のうちのいずれかに記載の遊技機。
【請求項１１】
払出制御用マイクロコンピュータは、
操作信号確認処理手段により初期化操作手段からの操作信号が入力されているか否かを確認した後に、定期的にタイマ割込が発生するように設定し、
定期的に発生するタイマ割込が生じたことにもとづいて遊技媒体の払出の制御を行うための割込処理を実行し、
払出制御用電力供給停止時処理にて、前記割込処理の実行を禁止する割込禁止状態または実行を許可する割込許可状態のうちいずれの状態であるかを示す割込状態データを払出制御用変動データ記憶手段に保存させる処理を実行し、
電力供給が開始されたときに、前記割込状態データにもとづいて前記割込禁止状態または前記割込許可状態に復旧させる状態復旧処理を行う
請求項１から請求項１０のうちのいずれかに記載の遊技機。
【請求項１２】
払出制御用マイクロコンピュータは、遊技制御用マイクロコンピュータから遊技媒体の払出に関するコマンドを受信する処理中では割込処理の実行を禁止する割込禁止状態に設定する
請求項１１記載の遊技機。
【請求項１３】
遊技制御用マイクロコンピュータは、
初期化操作手段からの操作信号が入力されているか否かを確認する遊技制御側操作信号確認処理を行う遊技制御側操作信号確認処理手段を含み、
前記遊技制御側操作信号確認処理手段により初期化操作手段からの操作信号が入力されているか否かを確認した後に、定期的にタイマ割込が発生するように設定し、
定期的に発生するタイマ割込が生じたことにもとづいて遊技の進行を制御するための割込処理を実行し、
遊技制御用電力供給停止時処理にて、前記割込処理の実行を禁止する割込禁止状態または実行を許可する割込許可状態のうちいずれの状態であるかを示す割込状態データを遊技制御用変動データ記憶手段に保存させる処理を実行し、
電力供給が開始されたときに、前記割込状態データにもとづいて前記割込禁止状態または前記割込許可状態に復旧させる状態復旧処理を行う
請求項１から請求項１２のうちのいずれかに記載の遊技機。
【手続補正２】
【補正対象書類名】明細書
【補正対象項目名】０００９
【補正方法】変更
【補正の内容】
【０００９】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、払出制御用マイクロコンピュータによって制御され、貸出要求に応じた遊技媒体の払出を行う貸出遊技媒体払出機構部と、遊技機への電力供給が停止していても遊技制御用変動データ記憶手段および払出制御用変動データ記憶手段の記憶内容を所定期間保持させることが可能な記憶内容保持手段と、遊技制御用マイクロコンピュータが搭載された遊技制御基板および払出制御用マイクロコンピュータが搭載された払出制御基板で用いられる電圧を作成する電源基板と、遊技機で使用される所定の電源の状態を監視して電源断の発生を検出したときに検出信号を出力する電源監視手段と、操作に応じて操作信号を出力する初期化操作手段とを含み、遊技制御用マイクロコンピュータは、検出信号の入力に応じて、制御状態を遊技制御用変動データ記憶手段に保存させるための処理である遊技制御用電力供給停止時処理を行う遊技制御用電力供給停止時処理手段を含み、払出制御用変動データ記憶手段に記憶される変動データには、貸出要求にもとづいた遊技媒体の払出数のうち払出しが完了していない未払出数を特定可能なデータが含まれており、払出制御用マイクロコンピュータは、検出信号の入力に応じて、未払出数を特定可能なデータを含む制御状態を払出制御用変動データ記憶手段に保存させるための処理である払出制御用電力供給停止時処理を行う払出制御用電力供給停止時処理手段と、初期化操作手段からの操作信号が入力されているか否かを確認する操作信号確認処理を行う操作信号確認処理手段とを含み、操作信号確認処理手段により初期化操作手段からの操作信号が入力されていることが確認されなかったことを条件に、未払出数を特定可能なデータが払出制御用変動データ記憶手段に保存されているときに該未払出数を特定可能なデータにもとづいて遊技媒体の払出制御を再開し、操作信号確認処理手段により初期化操作手段からの操作信号が入力されていることが確認されたときには、払出制御用変動データ記憶手段に記憶内容が保存されていても、該払出制御用変動データ記憶手段の記憶内容を初期化する初期化処理を行い、電源監視手段は電源基板に設けられ、単一の電源監視手段から遊技制御用マイクロコンピュータおよび払出制御用マイクロコンピュータのそれぞれに検出信号が分岐して出力されることを特徴とするものである。
【手続補正３】
【補正対象書類名】明細書
【補正対象項目名】００１０
【補正方法】変更
【補正の内容】
【００１０】
払出制御用マイクロコンピュータが所定のデータを取得するための入力ポートが設けられ、初期化操作手段からの操作信号は入力ポートに入力されることが好ましい。また、遊技媒体を検出するための遊技媒体検出手段を備え、払出制御用マイクロコンピュータは、電源監視手段が検出信号を出力したときに、遊技媒体検出手段からの検出出力の入力処理を所定期間実行した後、払出制御用電力供給停止時処理を行うように構成されていてもよい。
【手続補正４】
【補正対象書類名】明細書
【補正対象項目名】００１１
【補正方法】変更
【補正の内容】
【００１１】
払出制御用マイクロコンピュータは、出力ポートを介して貸出遊技媒体払出機構部に駆動信号を出力し、電源監視手段が検出信号を出力したときに、出力ポートをオフ状態にした後、遊技媒体検出手段からの検出出力の入力処理を実行するように構成されていてもよい。また、電源監視手段が検出信号を出力した後の、払出制御用マイクロコンピュータによる遊技媒体検出手段からの検出出力の入力処理の実行中に、払出制御用マイクロコンピュータおよび遊技媒体検出手段を駆動可能な電源を供給可能な補助駆動電源供給手段を備えていてもよい。
【手続補正５】
【補正対象書類名】明細書
【補正対象項目名】００１２
【補正方法】変更
【補正の内容】
【００１２】
払出制御用マイクロコンピュータは、初期化操作手段からの操作信号が入力されているか否かを、遊技媒体検出手段からの検出出力を判定する遊技媒体検出判定期間よりも短い要求検出判定期間で判定するように構成されていてもよい。また、払出制御用マイクロコンピュータによって制御され、入賞に応じて遊技媒体の払出を行う賞遊技媒体払出機構部を備え、払出制御用変動データ記憶手段に記憶される変動データは、入賞に応じて払い出される遊技媒体の払出数のうち賞遊技媒体払出機構部による払出しが完了していない未払出数を特定可能なデータを含む構成とされていてもよい。
【手続補正６】
【補正対象書類名】明細書
【補正対象項目名】００１３
【補正方法】変更
【補正の内容】
【００１３】
遊技媒体検出手段として、賞遊技媒体払出機構部から払い出された遊技媒体を検出する賞遊技媒体検出手段と、貸出遊技媒体払出機構部から払い出された遊技媒体を検出する貸出遊技媒体検出手段とを別個に設けるようにしてもよい。
【手続補正７】
【補正対象書類名】明細書
【補正対象項目名】００１４
【補正方法】変更
【補正の内容】
【００１４】
払出制御用マイクロコンピュータは、払出制御用電力供給停止時処理手段により払出制御用電力供給停止時処理が実行されていることを示す払出制御用情報を払出制御用変動データ記憶手段に保存するとともに、払出制御用変動データ記憶手段の記憶内容が正常か否かの判定に用いる払出制御用チェックデータを作成して払出制御用変動データ記憶手段に保存し、操作信号確認処理手段により初期化操作手段からの操作信号が入力されていることが確認されなかったことを条件に、払出制御用変動データ記憶手段に払出制御用情報が保存されているか否かを確認し、払出制御用変動データ記憶手段に払出制御用情報が保存されていることを確認したことを条件に、払出制御用変動データ記憶手段における払出制御用チェックデータにもとづいて記憶内容が正常か否かの判定を行い、正常と判定したことを条件に、未払出数を特定可能なデータが払出制御用変動データ記憶手段に保存されているときに該未払出数を特定可能なデータにもとづいて遊技媒体の払出制御を再開するように構成されていてもよい。
【手続補正８】
【補正対象書類名】明細書
【補正対象項目名】００１５
【補正方法】変更
【補正の内容】
【００１５】
遊技制御用マイクロコンピュータは、遊技制御用電力供給停止時処理手段により遊技制御用電力供給停止時処理が実行されていることを示す遊技制御用情報を遊技制御用変動データ記憶手段に保存するとともに、遊技制御用変動データ記憶手段の記憶内容が正常か否かの判定に用いる遊技制御用チェックデータを作成して遊技制御用変動データ記憶手段に保存し、初期化操作手段からの操作信号が入力されているか否かを確認する遊技制御側操作信号確認処理を行う遊技制御側操作信号確認処理手段を含み、遊技制御側操作信号確認処理手段により初期化操作手段からの操作信号が入力されていることが確認されなかったことを条件に、遊技制御用変動データ記憶手段に遊技制御用情報が保存されているか否かを確認し、遊技制御用変動データ記憶手段に遊技制御用情報が保存されていることを確認したことを条件に、遊技制御用変動データ記憶手段における遊技制御用チェックデータにもとづいて記憶内容が正常か否かの判定を行い、正常と判定したときに制御状態を遊技制御用電力供給停止時処理を開始したときの状態に復帰させるように構成されていてもよい。
【手続補正９】
【補正対象書類名】明細書
【補正対象項目名】００１６
【補正方法】変更
【補正の内容】
【００１６】
払出制御用マイクロコンピュータは、操作信号確認処理手段により初期化操作手段からの操作信号が入力されているか否かを確認した後に、定期的にタイマ割込が発生するように設定し、定期的に発生するタイマ割込が生じたことにもとづいて遊技媒体の払出の制御を行うための割込処理を実行し、払出制御用電力供給停止時処理にて、割込処理の実行を禁止する割込禁止状態または実行を許可する割込許可状態のうちいずれの状態であるかを示す割込状態データを払出制御用変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１０】
【補正対象書類名】明細書
【補正対象項目名】００１７
【補正方法】変更
【補正の内容】
【００１７】
払出制御用マイクロコンピュータは、遊技制御用マイクロコンピュータから遊技媒体の払出に関するコマンドを受信する処理中では割込処理の実行を禁止する割込禁止状態に設定するように構成されていてもよい。
【手続補正１１】
【補正対象書類名】明細書
【補正対象項目名】００１８
【補正方法】変更
【補正の内容】
【００１８】
遊技制御用マイクロコンピュータは、初期化操作手段からの操作信号が入力されているか否かを確認する遊技制御側操作信号確認処理を行う遊技制御側操作信号確認処理手段を含み、遊技制御側操作信号確認処理手段により初期化操作手段からの操作信号が入力されているか否かを確認した後に、定期的にタイマ割込が発生するように設定し、定期的に発生するタイマ割込が生じたことにもとづいて遊技の進行を制御するための割込処理を実行し、遊技制御用電力供給停止時処理にて、割込処理の実行を禁止する割込禁止状態または実行を許可する割込許可状態のうちいずれの状態であるかを示す割込状態データを遊技制御用変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１２】
【補正対象書類名】明細書
【補正対象項目名】０３７３
【補正方法】変更
【補正の内容】
【０３７３】
【発明の効果】
以上のように、本発明によれば、払出制御用変動データ記憶手段に記憶される変動データには、貸出要求にもとづいた遊技媒体の払出数のうち払出しが完了していない未払出数を特定可能なデータが含まれており、払出制御用マイクロコンピュータは、電力供給再開時に記憶内容保持手段により保持された未払出数を特定可能なデータにもとづいて遊技媒体の払出制御を再開することが可能であるとともに、初期化操作手段が所定の操作状態である場合に記憶内容保持手段によって保持される最終記憶内容を初期化することが可能である構成としたので、電源断が発生した場合であっても、未払出しの貸出遊技媒体数をバックアップ記憶することができ、適正な制御状態を保存することが可能となる。また、遊技店員などの判断により、保存された制御状態に復旧させないようにすることもできる。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１３】
【補正対象書類名】明細書
【補正対象項目名】０３７４
【補正方法】削除
【補正の内容】
【手続補正１４】
【補正対象書類名】明細書
【補正対象項目名】０３７５
【補正方法】変更
【補正の内容】
【０３７５】
払出制御用マイクロコンピュータが所定のデータを取得するための入力ポートが設けられ、初期化操作手段が所定の操作状態とされているときに出力される初期化信号が入力ポートに入力されるとした場合には、既存の入力ポートを利用した簡単な構成で、初期化操作手段の操作の操作状態に応じて出力される初期化信号を導入することが可能となる。
【手続補正１５】
【補正対象書類名】明細書
【補正対象項目名】０３７６
【補正方法】変更
【補正の内容】
【０３７６】
遊技媒体を検出するための遊技媒体検出手段を備え、払出制御用マイクロコンピュータが、電源監視手段が検出信号を出力したときに、遊技媒体検出手段からの検出出力の入力処理を所定期間実行した後、払出制御用電力供給停止時処理を行うとした場合には、検出すべき遊技媒体を検出することができ、遊技媒体数に関する適正な制御状態をバックアップ記憶することができる。
【手続補正１６】
【補正対象書類名】明細書
【補正対象項目名】０３７７
【補正方法】変更
【補正の内容】
【０３７７】
払出制御用マイクロコンピュータが出力ポートを介して貸出遊技媒体払出機構部に駆動信号を出力し、電源監視手段が検出信号を出力したときに、出力ポートをオフ状態にした後、遊技媒体検出手段からの検出出力の入力処理を実行するとした場合には、貸出遊技媒体払出機構部によって新たに遊技媒体が払い出されることがないようにした状態で、遊技媒体の検出を行うことができるため、遊技媒体数に関するさらに適正な制御状態をバックアップ記憶することができる。
【手続補正１７】
【補正対象書類名】明細書
【補正対象項目名】０３７８
【補正方法】変更
【補正の内容】
【０３７８】
電源監視手段が検出信号を出力した後の、払出制御用マイクロコンピュータによる遊技媒体検出手段からの検出出力の入力処理の実行中に、払出制御用マイクロコンピュータおよび遊技媒体検出手段を駆動可能な電源を供給可能な補助駆動電源供給手段を備えるとした場合には、遊技媒体検出手段からの検出信号の入力処理を確実に完了することができるため、適正な遊技媒体の検出処理を行うことが可能となる。
【手続補正１８】
【補正対象書類名】明細書
【補正対象項目名】０３７９
【補正方法】変更
【補正の内容】
【０３７９】
払出制御用マイクロコンピュータが、初期化操作手段からの操作信号が入力されているか否かを、遊技媒体検出手段からの検出出力を判定する遊技媒体検出判定期間よりも短い要求検出判定期間で判定する場合には、初期化操作手段の操作状態を判定する処理と遊技媒体の検出ありを判定する処理とを異ならせることができるので、各々のオン判定期間を適切な期間に設定することが容易である。
【手続補正１９】
【補正対象書類名】明細書
【補正対象項目名】０３８０
【補正方法】変更
【補正の内容】
【０３８０】
払出制御用マイクロコンピュータによって制御され、入賞に応じて遊技媒体の払出を行う賞遊技媒体払出機構部を備え、払出制御用変動データ記憶手段に記憶される変動データは、入賞に応じて払い出される遊技媒体の払出数のうち賞遊技媒体払出機構部による払出しが完了していない未払出数を特定可能なデータを含むとした場合には、貸出要求に応じて払い出される遊技媒体の未払出数だけでなく、遊技の進行に応じて払い出される遊技媒体の未払出数をも適正にバックアップ記憶することが可能となる。
【手続補正２０】
【補正対象書類名】明細書
【補正対象項目名】０３８２
【補正方法】削除
【補正の内容】